(57)【要約】  平坦なホイル印刷プレスはシート送り方向（Ｘ）に延び、ホイルウェブ（６ｋ）が内を送られるエンボス領域（１６ｋ）に隣接する吸引領域（１５ｋ）を有する背圧プレート（９）を備える。吸引領域は、シートの送られる方向に連続的で、真空切り替え要素（１３ｉ）を介して真空供給ライン（１２ｉ）を経由して真空源（１４）に接続される複数の吸引セグメント（１０ｉ）に区分される。エンボス加工されたシート（５）の送り出しを有して、シートに覆われたすべての吸引セグメント（１０ｉ）は排気され、その後シートにもはや覆われていない吸引セグメントは引き続いて真空源からの接続を外れる。これはより良い画質と機械産物のためのホイルウェブとシートの誤りのない分離に帰着する。
2017536270.tif 000002
【特許請求の範囲】
【請求項１】
複数のホイルウェブ（６ｋ）のためのホイルウェブガイド（２）とシートガイド（３）とを有する平坦なホイル印刷プレスであって、
シート送り方向（Ｘ）に延び、ホイルウェブ（６ｋ）が送られるエンボス領域（１６ｋ）と間に吸引開口（２２）を有する吸引領域（１５ｋ）を備える排気可能な背圧プレート（９）を特徴とし、
前記吸引領域（１５ｋ）は、前記シート送り方向（Ｘ）に連続的である複数の吸引セグメント（１０ｉ）に区分され、
前記吸引セグメントは真空供給ライン（１２ｉ）を経由して真空切り替え要素（１３ｉ）を介して真空源（１４）にそれぞれ接続され、制御可能であり、
エンボス加工後、前記シートに覆われたすべての前記吸引セグメント（１０ｉ）は最初に排気され、その後に、エンボス加工されたシート（５）が送られるときに、前記シートに覆われていない前記吸引セグメント（１０ｉ）は引続いて前記真空源（１４）との接続を断つことができる、平坦なホイル印刷プレス。
【請求項２】
それぞれの吸引セグメント（１０ｉ）における前記吸引領域（１５ｋ）は吸引開口（２２）と、前記対応する真空供給ライン（１２ｉ）と前記真空切り替え要素（１３ｉ）への接続開口（２３）とを有する真空チャンバ（１１ｉ）を備えることを特徴とする、請求項１に記載の平坦なホイル印刷プレス。
【請求項３】
真空吸引バルブは前記真空供給ライン（１２ｉ）上に真空切り替え要素（１３ｉ）として提供されることを特徴とする、請求項１または２に記載の平坦なホイル印刷プレス。
【請求項４】
制御された真空切り替えバルブは前記真空供給ライン上に真空切り替え要素（１３ｉ）として提供されることを特徴とする、請求項１から３のいずれか１項に記載の平坦なホイル印刷プレス。
【請求項５】
切り替え可能で調整可能な真空源（１４）のための制御（１９）を有する、請求項１から４のいずれか１項に記載の平坦なホイル印刷プレス。
【請求項６】
前記背圧プレート（９）は上側プレート（９ａ）と下側プレート（９ｂ）とを備え、前記上側プレート（９ａ）はそれぞれの吸引セグメント（１０ｉ）内に真空チャンバ（１１ｉ）と吸引開口（２２）とを有する吸引領域（１５ｋ）を備え、前記下側プレートはそれぞれの真空チャンバ（１１ｉ）への接続開口（２３）を有することを特徴とする、請求項１から５のいずれか１項に記載の平坦なホイル印刷プレス。
【請求項７】
前記背圧プレート（９）は上側プレート（９ａ）として、前記吸引領域（１５ｋ）において、真空チャンバ（１１ｉ）と吸引開口（２２）と、前記吸引ストリップ（２０ｋ）を取り囲むサポートマスク（２４）を備えることを特徴とする、請求項６に記載の平坦なホイル印刷プレス。
【請求項８】
前記吸引ストリップ（２０ｋ）は調整可能で、前記サポートマスク（２４）はそれに応じて適合されることを特徴とする、請求項７に記載の平坦なホイル印刷プレス。
【請求項９】
前記吸引領域（１５ｋ）における前記真空は所定のシートの停止によってスイッチオンされ、最終の前記吸引セグメントがシートの送り出しによって覆われなくなった後スイッチオフされることを特徴とする、請求項１から８のいずれか１項に記載の平坦なホイル印刷プレス。
【請求項１０】
前記吸引領域（１５ｋ）の表面は前記シート（５）への増した接着を有することを特徴とする、請求項１から９のいずれか１項に記載の平坦なホイル印刷プレス。
【請求項１１】
エンボス加工後、前記背圧プレートが低下するとすぐに前記ホイルウェブと前記シートとの間に空気流を送風する、圧縮された空気供給ライン（３５）を有する分離エアノズル（３４）が、前記背圧プレートの前記注入側に、前記シート（５）の真後ろかつホイルウェブ（６ｋ）の下に配置されることを特徴とする、請求項１から１０のいずれか１項に記載の平坦なホイル印刷プレス。
【請求項１２】
前記背圧プレートは、入口側に前記シート（５）の後方縁部の下で、真空供給ライン（３７）を有し、横方向（Ｙ）に延びる吸引領域（３６）を備えることを特徴とする、請求項１から１１のいずれか１項に記載の平坦なホイル印刷プレス。
【請求項１３】
複数のホイルウェブのためのホイルウェブガイドとシートガイドを有する平坦なホイル印刷プレスのための背圧プレートであって、前記背圧プレート（９）は、シート内をシート送り方向（Ｘ）に延び、エンボス領域（１６ｋ）の隣と間に吸引開口（２２）を有して、その内部をホイルウェブ（６ｋ）が送られる吸引領域（１５ｋ）によって排気されることを特徴とし、
前記吸引領域（１５ｋ）は前記シート送り方向（Ｘ）に連続的で複数の吸引セグメント（１０ｉ）に区分され、前記吸引セグメントは真空切り替え要素（１３ｉ）を介して真空供給ライン（１２ｉ）によって真空源（１４）にそれぞれ接続され、制御可能であり、
エンボス加工後、最初に前記シートに覆われたすべての吸引セグメント（１０ｉ）は排気され、その後、エンボス加工されたシートが送り出されたとき、前記シートに覆われていない前記吸引セグメント（１０ｉ）は引き続いて前記真空源（１４）から接続を断つことができる、背圧プレート。
【請求項１４】
前記真空切り替え要素（１３ｉ）を有する前記背圧プレートは交換可能な方法で設計されることを特徴とする、請求項１３に記載の背圧プレート。
【発明の詳細な説明】
【技術分野】
【０００１】
本発明は請求項１の序文による、複数のホイルウェブとシートガイドとを有する平坦なホイル印刷プレスに関する。特に高い最良品質の印刷物と印刷タスクへの要求がそのようなホイル印刷プレスにより実行可能である。これらの平坦なホイル印刷プレスは一方で薄く、狭く、非常に敏感なエンボス印刷ホイルウェブのガイドと正確な供給上の特に高い要求を、他方でシートの正確なガイドと位置づけ上の要求を設定する。これにより、複数のホイルウェブは完全に平坦な方法で同時にガイドされ運ばれる必要があり、ホイルガイドは完全に平坦で平坦で正しく位置づけられた方法で変形、アーチ状になる、折れる、位置ずれがなく実行される必要がある。シートのガイドは、高い出力と画質を達成するためにこの方法で同様に実行されなければならない。そのような平坦なホイル印刷プレスはたとえばＥＰ  １  ５９３  ５０３  およびＷＯ２００９／１４３６４４から公知である。
【０００２】
ホイルウェブとシートの最適で誤りのない位置づけのみならず、何よりもエンボス加工後も、連続する移送におけるシートからのホイルウェブの柔らかで完全な分離は、ピクチャエンボスタスクの要求のために、特にたとえばチケット、身分証明書または通帳などの写真セキュリティ特徴を有するホログラムエンボス加工のために、すべての印刷テーブル上の複数のピクチャホイルウェブのケースにおいて、達成されなければならない。
【０００３】
ここでしかしながら、出力および画質上の増す要求について大きな問題がまだ生じる。
たとえばＥＰ  ０  ７３９  ７２２によれば、シートの送る方向とは逆にシートとホイルウェブとの間に層流の気流をもたらす送風機がフラットプレスの出口に適用され、シートを印刷ステーションにおいて平坦で水平に維持する。これはしかしながら、具体的には狭いホイルウェブ（たとえば１０ｍｍ幅だけの）と薄い紙シートのためのより要求的なタスクにもはや十分ではない。シートに貼りついたままであるホイルウェブの不十分な分離が与えられると、一方でホイルウェブは変形し、過度に伸び、損傷し、他方でシートはまた変形され、不均一で撓みや折れが形成され得て、シートを個別のピクチャのサイズに切ったときー変形したウェブホイルのケースと同様に、誤りがあり完全に使用できない個々のピクチャが後に生じる。
【発明の概要】
【発明が解決しようとする課題】
【０００４】
そこで本発明の目的はより良くより正確な平坦なホイル印刷プレスのためのホイルウェブガイドとシートガイドとを提供することであり、エンボス加工後ホイルウェブとシートの著しく改善された分離を生じ、こうして誤りのないホイルウェブとシートのエンボス加工後の水平ガイドを提供して、水平で平坦な状態が変わらないままのシートとホイルウェブは過度に伸ばされたり損傷しない。
【課題を解決するための手段】
【０００５】
本発明によれば、この目的はホイルウェブガイドとシードガイドを有する平坦なホイル印刷プレスによって、請求項１による排気されたまたは排気可能な背圧プレートを経由して、シートを送る方向に送られるホイルウェブが内部を送られるエンボス領域の隣と間に統合された吸引領域を有する背圧プレートにより達成でき、吸引領域はそれぞれシートの延びる方向に連続的な複数の吸引セグメントに区分され、吸引セグメントはそれぞれ真空源からの切り替え可能な真空供給ラインを備えて、エンボス加工後、すべての吸引セグメントはシートに覆われて排気され、後に、エンボスシートから送られて、もはやシートに覆われていない吸引セグメントは真空源から引き続いて外すことができる。
【０００６】
従属請求項は本発明の背圧プレートとホイルウェブ剥離のシートガイドのさらなる改善と、こうしてまた機械出力と画質を有する本発明の有利なさらなる発展に関する。本発明は例と図により以下により詳細に説明される。
【図面の簡単な説明】
【０００７】
【図１】本発明による排気可能な平坦なホイル印刷プレスの概念図であり、ホイルウェブガイドと、シートガイドとを有し、複数の吸引セグメント、真空供給ラインおよび真空源を有する吸引領域を備える背圧プレートを有する。
【図２】複数の吸引セグメントに分割されエンボス領域に隣接して配置される吸引領域を有する背圧プレートの概念図である。
【図３】吸引開口を有する真空チャンバを備える上側プレートと真空供給ラインを有する下側プレートとを有する背圧プレートである。
【図４ａ】上から見た、吸引ストリップ、サポートマスク、真空供給ラインおよび真空切り替え要素を有する、３つの吸引セグメントを有する背圧プレートである。
【図４ｂ】下から見た背圧プレートの下側プレートであって、真空切り替え要素への真空供給ラインを有する。
【図５ａ】吸引領域の吸引ストリップを通じる長手方向セクションの背圧プレートであって、５つの吸引セグメントと上側プレート内の真空チャンバと下側プレート内の真空供給ラインを有する。
【図５ｂ】吸引領域の吸引ストリップを通じる長手方向セクションの背圧プレートであって、５つの吸引セグメントと上側プレート内の真空チャンバと下側プレート内の真空供給ラインを有する。
【図６】図５の例の製造であって、７つの吸引領域および６つのエンボス領域内の吸引ストリップと、５つの吸引セグメントの吸引ストリップと、エンボス領域を形成するサポートマスクと、下側プレート内で下側プレート内の５つの真空供給ラインを有し、サポート面としての印刷テーブルも有する。
【図７】吸引ストリップと、取り囲むサポートマスクと、エンボス領域内のメイクアップを有する背圧プレートの図である。
【図８ａ】図７の例において、ホイルウェブのコースに対応して、背圧プレート上に適用されたホイル写真を有するエンボスシートである。
【図８ｂ】図７の例において、ホイルウェブのコースに対応して、背圧プレート上に適用されたホイル写真を有するエンボスシートである。
【図９ａ】入力側に追加的な分離空気ノズルと横方向に吸引領域を有する背圧プレートである。
【図９ｂ】入力側に追加的な分離空気ノズルと横方向に吸引領域を有する背圧プレートである。
【発明を実施するための形態】
【０００８】
図１は本発明による平坦なホイル印刷プレスを示し、複数のホイルウェブ６ｋのためのホイルウェブガイド２とグリップバー３０によってシート５をフィーダ３１から印刷ツールプレート７を有する平坦なベッドプレス４の背圧プレート９上のエンボス位置まで動かし、それらをさらにエンボス手続後送達手段３２へ動かすシートガイド３を有する。
【０００９】
背圧プレート９は排気可能でシート内をＸ方向に延び吸引開口２２を有する吸引領域１５ｋを備える。これらの吸引領域はホイルウェブ６ｋが伸びるエンボス領域１６ｋの間で隣接して配置される（→図２）。吸引領域１５ｋはＸ方向に延びるシート内で互いに連続的な複数の吸引セグメント１０ｉに区分され、吸引セグメントは真空切り替え要素１３ｉを介して真空供給ライン１２ｉを経由してそれぞれ真空源１４に接続され、制御され、エンボスシート５の停止が与えられると、まずシートに覆われた吸引セグメント１０ｉは排気され（その手段によりシートは背圧プレート９に押され）、その後に、エンボスシートからの送り出しにより、シートにもはや覆われていない吸引セグメント１０ｉは真空源１４から引続いて外れることが可能である（そしてこれらの吸引セグメントはこうしてもはや排気されない）。シートの送り出しにより、吸引セグメントにおいて真空により引き戻されるのは後方端部であり、シートはこれにより伸ばされ、薄い紙シートでさえも平坦に保たれて折れが形成されない。
【００１０】
図１の例は４つの吸引セグメント１０．１〜１０．４を備え、それに応じて４つの真空供給ライン１２．ｉ＝１２．１〜１２．４と４つの吸引切替要素１３．ｉ＝１３．１〜１３．４も備える。少なくとも２つの吸引セグメント１０ｉが提供され、適用例に応じて好ましくはより多くたとえば３から５の吸引セグメントが提供される。
【００１１】
真空源１４とその電力もまた機械制御１９により設定またはオンオフ切り替えされる。
切り替えバルブを有する機械的真空ポンプは真空源１４としてまたは好ましくは速やかに切り替え可能な注入ポンプとして適用可能である。吸引領域１５ｋ内の真空はこれにより切り替え可能であり、好ましくはシート５の停止が与えられると、最後の吸引セグメント１０ｉがもはや送り出しシートによってカバーされていなくなった後、スイッチオフ可能である。
【００１２】
図１の例はＸ方向に延びるシートを有する平坦なホイル印刷プレスと同じＦ方向に延びるホイルウェブを示す。背圧プレートの降下はエンボス加工後、設定可能な方法で、ホイルウェブ６ｋとシート５の最初の描画のすぐ後に始まる。発明の、排気可能な背圧プレート９は同様にシートの延びる方向とホイルウェブの延びる方向が互いに逆向きの平坦なホイル印刷プレスに適用可能である。
【００１３】
図２は５つのエンボス領域１６ｋ＝１６．１〜１６．５を有する背圧プレート９を概念的に示し、その内部をホイルウェブ６．１〜６．５が送られ、エンボス領域の隣と間に６つの吸引領域１５ｋ＝１５．１〜１５．６を有する。図１は、シートの端部から逸れ、背圧プレート９の中間を超えて延びる４つの吸引セグメント１０ｉ＝１０．１〜１０．４を示すこの例を示す。
【００１４】
ここで、より長く、より大きいシート５．１がすべての吸引セグメント１０．１〜１０．４を覆い、一方で、より短い、より小さいシート５．２がたとえば今は単に吸引セグメント１０．３と１０．４を覆う。吸引セグメント１０．１と１０．２はその後接続を外れるか、覆われる。より狭いシートーたとえば覆われていない吸引領域１５．１と１５．６ーをエンボス加工するために、これらは覆われるか接続を外れることができる。
【００１５】
吸引セグメント１０ｉは供給ライン１２ｉと真空切替要素１３ｉを介して真空源１４に接続される。
【００１６】
真空吸引バルブは好ましくは真空供給ライン１２ｉ内の真空切り替え要素１３ｉとして適用可能である。
【００１７】
しかしながら、真空切り替えバルブもまた適用可能である。
真空吸引バルブは自己制御である。吸引セグメント１０ｉの吸引開口２２がシート５によって覆われた（閉じられた）とき、その後真空吸引バルブは開き、対応する吸引セグメントに真空が生じる。真空吸引バルブは吸引セグメントがもはやシートに覆われていない時に再び閉じる。真空はこうしていまだ覆われている吸引セグメント内に保たれる。
【００１８】
制御された真空切り替えバルブはその後、調整可能な／設定可能な機械回転角度Ｗにより機械制御によって開閉可能であり、吸引セグメント１０ｉは望ましい回数排気される。
【００１９】
さらなる例として、図３は流入側の背圧プレート９の一部であり、それぞれの吸引セグメントにおいて、背圧プレートが吸引開口２２を有する真空チャンバ１１ｉとそれぞれの真空供給ライン１２ｉへの接続開口２３を備える。
【００２０】
ここでの背圧プレート９は上側プレート９ａと下側プレート９ｂに区分される。それぞれの吸引セグメント１０ｉにおいて、上側プレート９ａは吸引開口２２を有する真空チャンバ１１ｉを備え、別の下側プレート９ｂはそれぞれの真空チャンバ１１ｉへの接続開口２３を有する真空供給ライン１２ｉを備える。この上側プレートと下側プレートへの区分は発明による排気可能な背圧プレート９の単純な製造を許容し、前記プレートは印刷テーブル８上に備わる。
【００２１】
図４ａ、図４ｂは背圧プレート９のさらなる有利な実施形態変形を示す。図４ａによれば、吸引領域１５ｋにおいて、ここで上側プレート９ａは真空チャンバ１１ｉと吸引開口２２を備える吸引ストリップ２０ｋと、エンボス領域１６ｋにおいて吸引ストリップ２０を取り囲むサポートマスク２４を備える。
【００２２】
ねじ込み可能でホイルウェブ６ｋまたはエンボス領域の変化された配列（レイアウト）により取り換え可能な調整可能な吸引ストリップ２０ｋはまた特に有利である。ここでのサポートマスク２４はしたがって採用され交換される。
【００２３】
図４ｂは下から見た下側プレート９ｂを示し、ここで印刷テーブル８（図５と図６に示される）の表面上に備わり、この表面によって覆われ、接続開口２３によって真空チャンバ１１ｉに接続される開いたチャネルとして可視の真空供給ライン１２ｉ＝１２．１〜１２．３を有する。図４ａ、図４ｂは７つの吸引領域１５ｋ＝１５．１〜１５．７と３つの吸引セグメント１０ｉ＝１０．１〜１０．３と同数の真空供給ライン１２ｉと真空切り替え要素１３ｉを有する例を示す。
【００２４】
図５ａ、図５ｂは吸引領域１５ｋを通じる断面において、上側プレート９ａの例として吸引ストリップ２０ｋと、吸引チャンバ１１ｉと囲むサポートマスク２４を有する例を示し、ここで下側プレート９ｂ内に５つの吸引セグメント１０ｉ＝１０．１〜１０．５と真空供給ライン１２ｉと接続開口２３を有する。
【００２５】
図５ｂは図５ａの拡大図である。
吸引領域１５ｋまたは吸引ストリップ２０ｋの表面は好適にはシート５に対する増した接着を有する。このために、その表面はエンボス領域１６ｋよりも粗く設計可能であり、あるいはその表面はゴムコーティングを備え得る。
【００２６】
図６は図５の例の製造を図示する。５つの真空切り替え要素１３ｉと真空源１４に接続された５つの真空供給ライン１２．１〜１２．５を有する下側プレート９ｂは印刷テーブル８上に備わる。吸引領域１５ｋを形成する７つの吸引ストリップ２０ｋ＝２０．１〜２０．７内の５つの吸引セグメント１０．１〜１０．５とサポートマスク２４を有する上側プレート９ａはこの下側プレート上に備わる。
【００２７】
図７および図８は６つのエンボス領域１６ｋ＝１６．１〜１６．６と７つの吸引領域１５ｋ＝１５．１〜１５．７と、３つの吸引セグメント１０ｉ＝１０．１〜１０．３を備える吸引ストリップ２０ｋと、対応するサポートマスク２４を備える背圧プレート９の図を示す。ここで、エンボス領域１６ｋにおいて、サポートマスク上のメイクアップ４２が明白である。
【００２８】
図８ａ、図８ｂは、６つのホイルウェブ６ｋによってエンボス加工され、ピクチャストリップとしてのホイルピクチャ４０を有するシート５を示し、前記シートはホイルウェブのコースによって背圧プレート９上に適用される。完了した、印刷された、エンボス加工されたシートがどのように個々のピクチャ４１のサイズに切断されるかについても、このシート上に示される。ピクチャストリップ４０からの同一のピクチャはその後同じ位置（特にーたとえばチケットや通帳などの、品質とセキュリティの印刷において）においてそれぞれの個々のピクチャ４１上に存在する。
【００２９】
これはエンボス加工後、シートからのたわみ、つぶれ、ホイルウェブのずれのないホイルウェブの誤りのない安全な剥離を図示し、シートは挑戦的なエンボスタスクと誤りのない最高品質の予定通りのピクチャのための完全な前提条件である。
【００３０】
剥離において、ホイルウェブの張力とシート上の吸引セグメントにおける真空の吸引力もまたこのために互いに一致させることができる。
【００３１】
図９ａ、図９ｂはホイルウェブ６ｋの真下に追加的な分離空気ノズル３４と横方向Ｙに送られる追加的な吸引領域３６を有する排気可能な背圧プレート９のさらなる例を示す。入口側に、圧縮された空気供給ライン３５を有する分離空気ノズル３４はシート５の背後でホイルウェブ６ｋの真下で直接、背圧プレート９に取り付けられ、真空供給ライン３７を有する吸引領域３６はシート５の後部の縁の下に配置される。エンボス加工の後、後部シート端部は排気により背圧プレートに押され、ホイルウェブ６ｋとシート５の間で続く背圧プレートの低下により圧縮された空気が吹かれ、ホイルウェブとシートの分離がここで著しく改善される。
【００３２】
吸引領域３６はまた長手軸方向に吸引領域１５ｋと類似した、吸引ストラップを備えることができる。
【００３３】
図９ａは背圧プレートの斜視図であり、図９ｂはホイルウェブ６ｋの真下でシート５の横たわる縁部のある分離空気ノズル３４と吸引領域３６を通じる断面の概念図である。分離空気ノズル３４の配列はまた図２で図示される。
【００３４】
真空切り替え要素１２ｉを有する真空供給ライン１１と真空源１４およびその機械制御１９内の制御はまた本発明によれば排気可能な背圧プレート９に属する。
【００３５】
真空切り替え要素１２ｉを有する背圧プレート９は好ましくは交換可能な方法で設計可能である。
【００３６】
以下ではこの説明の範囲において参照番号が用いられる。
【符号の説明】
【００３７】
１  平坦なホイル印刷プレス、２  ホイルウェブガイド、３  シートガイド、４  平坦なベッドプレス、５  シート、６  ホイルウェブ、７  ツールプレートを有する印刷プレート、８  ９のための支持面を有する印刷テーブル、９  背圧プレート（排気可能）、９ａ  １１ｉと２２を有する９の上側プレート、９ｂ  １２ｉと２３を有する下側プレート、１０ｉ  吸引セグメント（Ｙ方向に）、１１，１１ｉ  真空チャンバ、１２，１２ｉ  真空供給ライン、１３，１３ｉ  真空切り替え要素、１４  真空源、１５，１５ｋ  吸引領域（Ｙ方向に）、１６，１６ｋ  エンボス領域、１９  機械制御、２０，２０ｋ  １１ｉと２２を有する吸引ストリップ、２２  吸引開口、２３  接続開口（１１ｉ〜１２ｉ）、２４  サポートマスク、３０  グリップバー、３１  フィーダ、３２  送達手段、３４  分離空気ノズル，９への送風機、３５  圧縮された空気供給ライン、３６  Ｙ方向への吸引領域、３７  真空供給ライン、４０  ５へのピクチャストリップとしてのエンボス加工されたホイルピクチャ、４１  単一のピクチャサイズへの切断、４２  メイクアップ、Ｆ  ホイルウェブの送られる方向、Ｗ  機械回転角度、Ｘ  シートが送られる方向、Ｙ  横方向、Ｚ  垂直方向。
【図１】
2017536270.tif 000003
【図２】
2017536270.tif 000004
【図３】
2017536270.tif 000005
【図４ａ】
2017536270.tif 000006
【図４ｂ】
2017536270.tif 000007
【図５ａ−５ｂ】
2017536270.tif 000008
【図６】
2017536270.tif 000009
【図７】
2017536270.tif 000010
【図８ａ】
2017536270.tif 000011
【図８ｂ】
2017536270.tif 000012
【図９ａ】
2017536270.tif 000013
【図９ｂ】
2017536270.tif 000014
【国際調査報告】
2017536270.tif 000015
2017536270.tif 000016
2017536270.tif 000017
2017536270.tif 000018